(57)【要約】【課題】食材の種類や量などを容易に適宜変更することができる弁当受注システムを提供すること。【解決手段】本発明では、弁当を提供するサーバーのコンピューター（サーバーコンピューター（２））と弁当を注文するユーザーのコンピューター（ユーザーコンピューター（３））とを電子通信回線網（４）を介して接続した弁当受注システム（１）において、サーバーコンピューター（２）は、ユーザーコンピューター（３）に、食材を収容するための区画（１５）を複数有する複数種類の弁当箱（１４）を選択可能に表示させ、また、複数種類の食材を選択可能に表示させ、さらに、ユーザーが選択した弁当箱（１４）のユーザーが選択した区画（１５）にユーザーが選択した食材を配置した画像（弁当画像）を表示させることにした。【選択図】図３
2018169932.tif 000002
【特許請求の範囲】
【請求項１】
弁当を提供するサーバーのコンピューター（サーバーコンピューター）と弁当を注文するユーザーのコンピューター（ユーザーコンピューター）とを電子通信回線網を介して接続した弁当受注システムにおいて、
サーバーコンピューターは、ユーザーコンピューターに、食材を収容するための区画を複数有する複数種類の弁当箱を選択可能に表示させ、また、複数種類の食材を選択可能に表示させ、さらに、ユーザーが選択した弁当箱のユーザーが選択した区画にユーザーが選択した食材を配置した画像（弁当画像）を表示させることを特徴とする弁当受注システム。
【請求項２】
前記サーバーコンピューターは、前記ユーザーコンピューターに、他のユーザーの弁当画像を選択可能に表示させることを特徴とする請求項１に記載の弁当受注システム。
【発明の詳細な説明】
【技術分野】
【０００１】
本発明は、弁当を提供するサーバーのコンピューターと弁当を注文するユーザーのコンピューターとを電子通信回線網を介して接続した弁当受注システムに関するものである。
【背景技術】
【０００２】
インターネットを代表とする電子通信回線網の普及により、実際の店舗まで出向かないでもコンピューターを用いて弁当を注文することができる。そのためのシステムとして、弁当を提供するサーバーのコンピューター（サーバーコンピューター）と弁当を注文するユーザーのコンピューター（ユーザーコンピューター）とを電子通信回線網を介して接続した弁当受注システムが開発されている（たとえば、特許文献１参照。）。
【０００３】
従来の弁当受注システムでは、ユーザーがユーザーコンピューターを用いてサーバーコンピューターにアクセスし、サーバーコンピューターがユーザーコンピューターに予め設定した複数種類の弁当を選択可能に提示させ、ユーザーがユーザーコンピューターを用いて提示された複数種類の弁当から希望するものを選択し注文するようにしている。
【先行技術文献】
【特許文献】
【０００４】
【特許文献１】特開２０１５−１８１０４４号公報
【発明の概要】
【発明が解決しようとする課題】
【０００５】
ところが、上記従来の弁当受注システムでは、予め設定された複数種類の弁当から希望するものを選択して注文するようになっているために、以下のような課題を有していた。
【０００６】
弁当を提供するサーバー側からみると、ユーザーを飽きさせず、かつ、ユーザーの希望に沿わせるために、数多くの種類の弁当を提供し続けなければならなかった。
【０００７】
一方、弁当を注文するユーザー側からみると、予め設定された複数種類の既存の弁当しか注文することができないために、食材の種類や量などを適宜変更することができなかった。
【課題を解決するための手段】
【０００８】
そこで、請求項１に係る本発明では、弁当を提供するサーバーのコンピューター（サーバーコンピューター）と弁当を注文するユーザーのコンピューター（ユーザーコンピューター）とを電子通信回線網を介して接続した弁当受注システムにおいて、サーバーコンピューターは、ユーザーコンピューターに、食材を収容するための区画を複数有する複数種類の弁当箱を選択可能に表示させ、また、複数種類の食材を選択可能に表示させ、さらに、ユーザーが選択した弁当箱のユーザーが選択した区画にユーザーが選択した食材を配置した画像（弁当画像）を表示させることにした。
【０００９】
また、請求項２に係る本発明では、前記請求項１に係る本発明において、前記サーバーコンピューターは、前記ユーザーコンピューターに、他のユーザーの弁当画像を選択可能に表示させることにした。
【発明の効果】
【００１０】
そして、本発明では、以下に記載する効果を奏する。
【００１１】
弁当を提供するサーバー側からみると、ユーザーを飽きさせず、かつ、ユーザーの希望に沿った弁当を常時提供することができる。
【００１２】
また、弁当を注文するユーザー側からみると、注文時の体調や気分などに応じて、食材の種類や量などを容易に適宜変更することができる。
【００１３】
これらによって、本発明では、弁当受注システムにおいて、弁当の受注量を増大させることができる。
【図面の簡単な説明】
【００１４】
【図１】本発明に係る弁当注文システムを示す説明図。
【図２】弁当箱選択画面を示す説明図。
【図３】食材選択画面を示す説明図。
【図４】登録弁当選択画面を示す説明図。
【発明を実施するための形態】
【００１５】
以下に、本発明に係る弁当受注システムの具体的な構成について図面を参照しながら説明する。
【００１６】
図１に示すように、弁当受注システム１は、弁当の提供を行うサーバーのコンピューター（サーバーコンピューター２）と弁当を注文するユーザーのコンピューター（ユーザーコンピューター３）とが、インターネットに代表される電子通信回線網４を介して接続されている。なお、サーバーコンピューター２とユーザーコンピュータ３とが電子通信回線網４を介して接続できればよく、各コンピューター2,3の形態（デスクトップ型パソコンやノートブック型パソコンやタブレット・スマートフォン等の携帯型端末装置など）や電子通信回線網４の種類などは限定されない。また、ユーザーコンピューター３は、弁当の最終消費者の家庭等に設置されたコンピューターに限られず、小売業者等の仲介者の店舗等に設置されるコンピューターも含まれる。
【００１７】
そして、サーバーコンピューター２は、ユーザーコンピューター３からアクセスされた場合に、コンピュータ読み取り可能な記憶媒体に記憶されたプログラムに従って、ユーザーコンピューター３との間で相互に通信し合い、以下に説明するようにユーザーが注文した弁当をサーバーが提供できるようにする。
【００１８】
まず、サーバーコンピューター２は、図２に示すように、ユーザーコンピューター３の画面に弁当箱選択画面５を表示させる。この弁当箱選択画面５は、サーバーが提供する複数種類の弁当箱の中からユーザーが発注することを希望する弁当箱を選択するための画面である。
【００１９】
弁当箱選択画面５には、選択領域６が設けられ、選択領域６に複数の弁当箱アイコン７が選択可能に表示される。この複数の弁当箱アイコン７によって、食材を収容するための区画を複数有する複数種類の弁当箱がユーザーに提示される。各弁当箱アイコン７には、弁当箱の画像（写真）とともに弁当箱の型名や内容の説明などが表記されており、ユーザーが弁当箱の内容を視覚的に容易に認識することができるようになっている。
【００２０】
ユーザーは、ユーザーコンピューター３の画面に表示された弁当箱選択画面５を見ながら、提供を受けることを希望する弁当の弁当箱を選択する。具体的には、ユーザーは、ユーザーコンピューター３を操作して、複数の弁当箱アイコン７から選択した１つの弁当箱アイコン７を弁当箱選択画面５において選択する。なお、選択操作は、ユーザーの指によるタッチ操作でもよく、マウスによるクリック操作などでもよい。
【００２１】
ユーザーがユーザーコンピューター３を用いていずれかの弁当箱アイコン７を選択すると、それをユーザーコンピューター３からサーバーコンピューター２に通知する。
【００２２】
次に、サーバーコンピューター２は、図３に示すように、ユーザーコンピューター３の画面に食材選択画面８を表示させる。この食材選択画面８は、サーバーが提供する弁当の食材（具材）の中からユーザーが発注することを希望する食材を選択するための画面であり、なおかつ、ユーザーが選択した食材をユーザーが選択した弁当箱のいずれの区画に収容するかを選択するための画面でもある。
【００２３】
食材選択画面８には、選択領域９と表示領域10と列挙領域11と決定領域12とが設けられている。
【００２４】
選択領域９は、サーバーが提供する弁当の食材の内容（食材の画像（写真）、食材名、価格、消費カロリーなど）をユーザーが選択可能に表示する領域である。この選択領域９には、各食材に対応する食材アイコン13が並べて表示される。食材アイコン13には、食材の画像（写真）や食材名や価格や消費カロリーなどの食材内容が表記されており、ユーザーが食材の内容を視覚的に容易に認識することができるようになっている。なお、選択領域９は、１画面で構成される場合に限られず、たとえばカテゴリーごとに複数のフォルダーを設け、各フォルダーごとに複数の食材アイコン13を並べて表示するようにしてもよい。また、ユーザーの操作（たとえば、ダブルクリック）によって各食材アイコン13についての詳細な内容を表示するようにしてもよい。
【００２５】
表示領域10は、ユーザーが弁当を発注する際に、ユーザーが選択した弁当箱の区画にユーザーが選択した食材を盛付けた状態、すなわち、サーバーから実際に提供される弁当を表示する領域である。この表示領域10には、ユーザーが選択した弁当箱14の画像（写真）を表示するとともに、弁当箱14に形成された複数の区画15にユーザーが選択した食材の画像（写真）を表示し、ユーザーが食材アイコン13をいずれかの区画15に移動できるようにして、実際に弁当箱に食材を盛付けるのと同様の感覚で操作できるようにしている。
【００２６】
列挙領域11は、ユーザーによって選択領域９から表示領域10に移動された食材アイコン13の食材内容を列挙する領域である。この列挙領域11は、ユーザーが選択した食材の内容が並べて表示されていればよく、食材内容を文字で表示してもよく、食材アイコン13をそのまま表示してもよく、合計金額や総消費カロリー等を付加して表示してもよい。
【００２７】
決定領域12は、ユーザーが選択した弁当（ユーザーが選択した弁当箱の区画に食材を盛付けた弁当）について、提供を受けることを決定した際に操作される領域であり、たとえば「決定」等を表記したボタン形式の表示を行う。
【００２８】
ユーザーは、ユーザーコンピューター３の画面に表示された食材選択画面８において食材を選択し、既に選択した弁当箱14の希望する区画15に盛付ける。具体的には、ユーザーは、ユーザーコンピューター３を操作して、複数の食材アイコン13から選択した（提供を受けることを希望する）１つの食材アイコン13を食材選択画面８において選択領域９から表示領域10に表示された弁当箱14のいずれかの区画15に移動させる（図３参照。）。その際のユーザーコンピューター３の操作としては、たとえば、ユーザーの指によるタップ＆スワイプ操作でもよく、マウスによるクリック＆ドラッグ操作でもよい。なお、食材アイコン13の移動は、必ずしも選択領域９でその食材アイコン13の表示を消去することを伴う移動（カット＆ペースト形式）である必要はなく、選択領域９の食材アイコン13をそのままにして（消去せずに）同様の食材アイコン13を移動させる（コピー＆ペースト形式）ものであってもよい。ここで、同一の区画15に複数個又は複数種類の食材を選択する（盛付ける）ことができるようにしてもよく、選択した区画15のサイズに合わせて選択された食材の量を自動的に変更するようにしてもよく、ユーザーが食材の量を変更できるようにしてもよい。
【００２９】
サーバーコンピューター２は、ユーザーコンピューター３の食材選択画面８で食材アイコン13が選択領域９から表示領域10に表示された弁当箱14の区画15に移動された場合、ユーザーコンピューター３に、表示領域10の弁当箱14の区画15に食材アイコン13で選択された食材の画像（写真）を表示させるとともに、選択された食材アイコン13の食材内容を列挙領域11に列挙して表示させる（図３参照。）。
【００３０】
このユーザーコンピューター３での選択操作（移動操作）や画像表示や列挙表示が１回又は複数回繰り返して行われた後に、ユーザーは、決定領域12でユーザーが弁当の提供を受けること（発注すること）を決定する操作、たとえば、「決定」ボタンのタップ操作やクリック操作などを行う。
【００３１】
これにより、ユーザーは、提供を受けることを希望する（発注する）弁当の選択を完了させることができる。その後は、公知のシステムで広く利用されているのと同様に、支払い方法や提供先などのを決定する操作が行われる。
【００３２】
上記弁当受注システム１では、ユーザーが決定した弁当（ユーザーが選択した弁当箱14においてユーザーが選択した区画15にユーザーが選択した食材を盛付けた弁当）を発注するだけでなく、それとともにサーバーコンピューター２に登録（記憶）させることもできる。
【００３３】
そして、特定のユーザーが弁当を登録した後の次回以降に上記弁当受注システム１を利用して弁当を発注する際に、サーバーコンピューター２は、ユーザーコンピューター３の画面に既にその特定のユーザーによって登録されている１又は複数の弁当の画像（特定のユーザーが選択した弁当箱14において特定のユーザーが選択した区画15に特定のユーザーが選択した食材を盛付けた弁当の画像）を選択可能に表示することもできる。これにより、繰り返し同じユーザーが同様の弁当を注文することが容易となる。
【００３４】
また、特定のユーザーが弁当を登録した後に他のユーザー（特定のユーザー以外のユーザー）が上記弁当受注システム１を利用して弁当を発注する際に、サーバーコンピューター２は、図４に示すように、ユーザーコンピューター３の画面に既にその特定のユーザーによって登録されている１又は複数の弁当の画像（特定のユーザーが選択した弁当箱14において特定のユーザーが選択した区画15に特定のユーザーが選択した食材を盛付けた弁当の画像）を登録弁当選択画面16に登録弁当アイコン17として選択可能に表示することもできる。これにより、他のユーザーが選択した弁当を参考にすることができるとともにそれを注文するもできる。なお、登録弁当選択画面16は、１画面で構成される場合に限られず、たとえばカテゴリーやユーザーや消費カロリーごとなどに複数のフォルダーを設け、各フォルダーごとに複数の登録弁当アイコン17を並べて表示するようにしてもよい。また、ユーザーの操作（たとえば、ダブルクリック）によって各登録弁当アイコン17についての詳細な内容を表示するようにしてもよい。
【００３５】
以上に説明したように、上記弁当受注システム１は、サーバーコンピューター２が、ユーザーコンピューター３に、食材を収容するための区画15を複数有する複数種類の弁当箱14を選択可能に表示させ、また、複数種類の食材を選択可能に表示させ、さらに、ユーザーが選択した弁当箱14のユーザーが選択した区画15にユーザーが選択した食材を配置した画像（弁当画像）を表示させる構成となっている。
【００３６】
そのため、上記弁当受注システム１では、弁当を提供するサーバー側からみると、ユーザーを飽きさせず、かつ、ユーザーの希望に沿った弁当を常時提供することができる。一方、弁当を注文するユーザー側からみると、注文時の体調や気分などに応じて、食材の種類や量などを容易に適宜変更することができる。これらによって、上記弁当受注システム１では、弁当の受注量を増大させることができる。
【符号の説明】
【００３７】
１  弁当受注システム              ２  サーバーコンピューター
３  ユーザーコンピューター        ４  電子通信回線網
５  弁当箱選択画面                ６  選択領域
７  弁当箱アイコン                ８  食材選択画面
９  選択領域                      10  表示領域
11  列挙領域                      12  決定領域
13  食材アイコン                  14  弁当箱
15  区画                          16  登録弁当選択画面
17  登録弁当アイコン
【図１】
2018169932.tif 000003
【図２】
2018169932.tif 000004
【図３】
2018169932.tif 000005
【図４】
2018169932.tif 000006